(57)【要約】【課題】メモリカードに記憶された制御プログラムの制御内容を容易かつ迅速に確認することができ、これにより、誤操作が防止される穀物処理装置を得る。【解決手段】穀物乾燥装置では、メモリカードに記憶された所定の乾燥処理プログラムに従って自動的に乾燥処理が実施される。このメモリカードには、乾燥処理プログラムのみならず該乾燥処理プログラムの所定の制御仕様（制御内容の要約など）が記憶されている。ここで、穀物乾燥装置を起動する際には、このメモリカードを操作盤のコネクタに装着し、操作盤の電源スイッチを「ＯＮ」にすると、メモリカードに記憶された乾燥処理プログラムの制御仕様がディスプレイ９０に表示される。したがって、メモリカードの乾燥処理プログラムの制御内容を一目瞭然に確認することができるため、使用者が操作盤への入力操作を間違うことを防止できる。【選択図】  図１
2005003253.tif 000002
【特許請求の範囲】
【請求項１】
所定の制御プログラムに従って自動的に穀物の処理を行なう穀物処理装置において、
装置本体に対して着脱自在に設けられ、前記制御プログラム及び前記制御プログラムの所定の制御仕様を記憶したメモリカードと、
前記装置本体に設けられ、前記メモリカードが前記装置本体に装着されて前記装置本体の電源が投入された時点で前記メモリカードに記憶された前記制御プログラムの前記制御仕様を表示する表示手段と、
を備えたことを特徴とする穀物処理装置。
【請求項２】
前記表示手段は、前記制御仕様を文字もしくは図柄のうち少なくとも一方で表示する表示装置とされる、
ことを特徴とする請求項１記載の穀物処理装置。
【請求項３】
前記制御仕様は、前記制御プログラムのタイトル、前記制御プログラムの制御内容の要約、穀物処理装置の製造者が管理するカード管理番号、及び前記制御プログラムの概略タイムチャートのうち少なくとも１つを含んで構成される、
ことを特徴とする請求項１記載又は請求項２記載の穀物処理装置。
【発明の詳細な説明】
【０００１】
【発明の属する技術分野】
本発明は、穀物の乾燥処理や選別処理等を行なう穀物処理装置に関し、特に、メモリカードに記憶された制御プログラムに従って自動的に穀物の処理を行なう穀物処理装置に関する。
【０００２】
【従来の技術】
穀物の乾燥処理や選別処理等を行なう穀物処理装置において、装置本体に対して着脱自在なメモリカードに記憶された制御プログラムに従って穀物の処理を行なう穀物処理装置が用いられている（例えば、特許文献１参照）。
【０００３】
この特許文献１に開示されている穀物乾燥装置には、乾燥処理用の制御装置（マイクロコンピュータ）が内蔵されており、このマイクロコンピュータに接続された操作盤には、メモリカードが装着されるコネクタが設けられている。ここで、この穀物乾燥装置を稼動させる際には、事前にメモリカードをコネクタに装着しておき、次いで装置本体の電源を投入する構成である。そして、操作盤に簡単な入力操作を行なった後、起動スイッチをＯＮにすると、メモリカードに記憶された乾燥処理プログラムに従って、自動的に乾燥処理が実施される構成である。
【０００４】
ところで、穀物は、種類・品種・作柄・乾燥目的等に応じて、それぞれに適した条件で処理することが望ましい。このため、上記穀物乾燥装置では、異なる乾燥処理プログラムが夫々に記憶された複数種類（例えば、数百種類）のメモリカードが用意されており、これら複数種類のメモリカードには、それぞれ製造者が管理するカード管理番号が印字されたシールが貼ってある。そして、このメモリカードのカード管理番号に基づいて、例えば、カード管理番号と乾燥処理プログラムの制御内容との対応が詳細に記載された台帳を参照することで、複数種類のメモリカードの制御内容を判別できるようになっている。
【０００５】
一方、上記穀物乾燥装置の使用者は、上述したような複数種類のメモリカードの中から必要とするものを選んで所持し（例えば、数枚乃至数十枚程度所持し）、乾燥する穀物の種類等に応じて適宜使い分けている。
【０００６】
ところが、使用者が実際の作業現場でメモリカードの制御内容を判別しようとした場合には、メモリカードのカード管理番号を見ただけでは、そのメモリカードの制御内容を瞬時に判別することができない場合がある。また、メモリカードを操作盤に装着しても、当然そのメモリカードの制御内容を判別することができないため、メモリカードの制御内容を再度確認しようとする場合には、メモリカードを一旦操作盤から抜去して確認しなければならない。例えば、作業開始時に前回使用したメモリカードが操作盤に装着されたままの場合もあるが、メモリカードが操作盤に装着されたままではメモリカードのカード管理番号が見えず、メモリカードの制御内容を判別できないので、改めて確認しようとする場合には、メモリカードを一旦操作盤から抜去しなければならない。
【０００７】
このように、従来の穀物乾燥装置は、メモリカードの制御内容を確認する作業が煩雑になるという問題があった。また、使用者がメモリカードの制御内容を誤って認識することで、操作盤への入力操作を間違える恐れもあった。
【０００８】
【特許文献１】
特公平６−２７６３０号公報
【０００９】
【発明が解決しようとする課題】
本発明は、上記事実を考慮し、メモリカードに記憶された制御プログラムの制御内容を容易かつ迅速に確認することができ、これにより、誤操作が防止される穀物処理装置を提供することを目的とする。
【００１０】
【課題を解決するための手段】
上記課題を解決するために、請求項１記載の発明に係る穀物処理装置は、所定の制御プログラムに従って自動的に穀物の処理を行なう穀物処理装置において、装置本体に対して着脱自在に設けられ、前記制御プログラム及び前記制御プログラムの所定の制御仕様を記憶したメモリカードと、前記装置本体に設けられ、前記メモリカードが前記装置本体に装着されて前記装置本体の電源が投入された時点で前記メモリカードに記憶された前記制御プログラムの前記制御仕様を表示する表示手段と、を備えたことを特徴としている。
【００１１】
請求項１記載の穀物処理装置では、装置本体に対して着脱自在に設けられたメモリカードに記憶された所定の制御プログラムに従って、自動的に穀物の処理が行なわれる。
【００１２】
ここで、このメモリカードには、所定の制御プログラムのみならず、該制御プログラムの所定の制御仕様が記憶されている。そして、穀物処理装置を稼動させる際には、このメモリカードを装置本体に装着し、装置本体の電源を投入すると、メモリカードに記憶された制御プログラムの所定の制御仕様が、表示手段によって表示される。
【００１３】
したがって、本穀物処理装置では、メモリカードを装置本体に装着し、装置本体の電源を投入しさえすれば、メモリカードに記憶された制御プログラムの制御内容を容易かつ迅速に確認することができる。これにより、メモリカードの制御内容を確認するための煩雑な作業がなくなり作業性が向上する。また、メモリカードの制御内容を正確に確認することができるため、穀物処理装置が誤操作されることも防止できる。
【００１４】
このように、請求項１記載の穀物処理装置では、メモリカードに記憶された制御プログラムの制御内容を容易かつ迅速に確認することができ、これにより、穀物処理装置が誤操作されることを防止できる。
【００１５】
請求項２記載の穀物処理装置は、請求項１記載の穀物処理装置において、前記表示手段は、前記制御仕様を文字もしくは図柄のうち少なくとも一方で表示する表示装置とされる、ことを特徴としている。
【００１６】
請求項２記載の穀物処理装置では、メモリカードに記憶された制御プログラムの制御仕様は、表示装置によって文字、図柄、もしくはこの両方によって表示されるため、制御プログラムの制御内容を一目瞭然に確認することができる。これにより、穀物処理装置が誤操作されることを更に確実に防止できる。
【００１７】
請求項３記載の穀物処理装置は、請求項１記載又は請求項２記載の穀物処理装置において、前記制御仕様は、前記制御プログラムのタイトル、前記制御プログラムの制御内容の要約、穀物処理装置の製造者が管理するカード管理番号、及び前記制御プログラムの概略タイムチャートのうち少なくとも１つを含んで構成される、ことを特徴としている。
【００１８】
請求項３記載の穀物処理装置では、メモリカードに記憶される制御仕様は、制御プログラムのタイトル、制御プログラムの制御内容の要約、穀物処理装置の製造者が管理するカード管理番号、及び制御プログラムの概略タイムチャートのうち、少なくとも１つを含んで構成されている。したがって、使用者は必要な情報をより詳細に確認することができる。
【００１９】
【発明の実施の形態】
図６には、本発明の実施の形態に係る穀物処理装置としての穀物乾燥装置１０の全体構成が斜視図により示されている。また、図５には、穀物乾燥装置１０を正面側から見た構成が縦断面図により示されている。さらに、図４には、穀物乾燥装置１０を側面側から見た構成が縦断面図により示されている。
【００２０】
これらの図に示されるように、穀物乾燥装置１０は、装置本体を構成する略中空直方体形状の機体１２を備えている。機体１２の下部には、多孔板１４によって略菱形形状に形成された導風路１６が設けられている。なお、導風路１６の下端部は開放されている。また、導風路１６の上部両側にも、ほぼ同様に構成された小型の一対の補助導風路１８が設けられている。さらに、導風路１６の下部両側には、当該導風路１６の下部を構成する多孔板１４に対して平行に別の多孔板２０が傾斜した状態で配置されており、これにより両多孔板１４、２０間に一対の流下路２２が設けられている。多孔板２０と機体１２の側壁との間には、一対の排風路２３が設けられており、後述する乾燥風吸引室５２と連通している。
【００２１】
一対の流下路２２が出合う位置（下端部）には、軸線周りに回転可能とされたドラムシャッタ２４が配設されている。ドラムシャッタ２４は円筒形状に形成されており、この周壁部には一対の開口２６（図４参照）が互い違いに形成されている。さらに、ドラムシャッタ２４の下方には、スクリューコンベア２８が平行に配置されている。スクリューコンベア２８は、所定ピッチで螺旋状が形成されたスクリュー３０と、このスクリュー３０の下側を通るように配置された略「ハ」字形状の張込流し板３２の下端部３２Ａと、によって構成されている。この下端部３２Ａが桶状に形成されており、スクリュー３０と共働してスクリューコンベア２８を構成している。なお、機体１２の側部には、張込流し板３２と接続される張込ホッパ３４が開閉可能に設けられている。
【００２２】
スクリューコンベア２８の端部には、機体１２の側部に立設された揚穀機（昇降機）３６の下端部が接続されている。揚穀機３６は、図示しない揚穀機駆動モータが駆動することにより、バケット式コンベアによって穀物を上方へ搬送できるようになっている。なお、揚穀機３６の下端部には、水分センサ３７が配設されており、穀物の含水率を検出できるようになっている。
【００２３】
揚穀機３６の上端側には、別のスクリューコンベア４０がドラムシャッタ２４と平行に配設されている。このスクリューコンベア４０の先端部には、穀槽４２の中央部に配設された回転式均分機４４が接続されている。このため、スクリューコンベア４０によって搬送された穀物は、この回転式均分機４４によって穀槽４２内へ均等に放散分配されるようになっている。
【００２４】
穀槽４２内には、穀物量センサ５４が配設されており、穀物の貯蔵量を検出できるようになっている。さらに、穀槽４２内には、穀温センサ５６が配設されており、穀物の温度を検出できるようになっている。
【００２５】
また、機体１２の一方の側部（揚穀機３６が設けられた側の側部）の下部側にはガンタイプ式のバーナ４６（図４参照）が配設されており、他方の側部の下部側には吸引排風機４８が配設されている。なお、バーナ４６が配設された乾燥風発生室５０と前述した導風路１６とは相互に連通されている。また、吸引排風機４８が配設された乾燥風吸引室５２と前述した導風路１６とは、排風路２３と流下路２２を介して相互に連通されている。そして、導風路１６内及び吸引排風機４８後方にはそれぞれ温度センサ５８、６０が配設されており、熱風温度及び排風温度を検出できるようになっている。
【００２６】
さらに、機体１２には、外気温センサ６４及び湿度センサ６６が配設されており、それぞれ外気条件を検出できるようになっている。
【００２７】
一方、機体１２の前面側には、装置本体を構成する操作盤７０が設置されている。図３に示す如く、この操作盤７０内には、メモリカード７２装着用のコネクタ７４が配設されている。コネクタ７４は、長手方向一端に開口部７４Ａを有する箱状に形成されており、この開口部７４Ａにメモリカード７２が挿入されることで（図３の矢印Ａ参照）、メモリカード７２の図示しない端子と、コネクタ７４の図示しない端子が接続されるようになっている。
【００２８】
そして、メモリカード７２の図示しない端子と、コネクタ７４の図示しない端子が接続されると、図２に示す如く、メモリカード７２と穀物乾燥装置１０の制御装置６２とが接続されるようになっている。制御装置６２は、中央処理装置（ＣＰＵ）７６、入力回路７８、出力回路８０、及びこれらを接続するバスを含んで構成されている。入力回路７８には、前述の各種センサがそれぞれ接続されており、出力回路８０には、吸引排風機４８駆動用モータやドラムシャッタ２４駆動用モータ等の駆動装置リレー回路８２が接続されている。
【００２９】
また、図３に示す如く、操作盤７０には、水分設定ダイヤル８４、穀物量ダイヤル８６、電源スイッチ８８、及び図示しない起動スイッチや穀物切換ダイヤル、タイマボタン等が配置されており、制御装置６２の入力回路７８に接続されている。このため、使用者は操作盤７０の電源スイッチ８８を「ＯＮ」にすることで穀物乾燥装置１０本体の電源を投入することができ、また、これらの設定ダイヤル類を操作することにより穀物乾燥装置１０を所望の運転状態とすることができるようになっている。
【００３０】
なお、図２において、上述した起動スイッチ、穀物切換ダイヤル及びタイマボタン等を図示していないが、これらの各スイッチ類もそれぞれ制御装置６２の入力回路７８に接続されている。
【００３１】
さらに、操作盤７０には、表示装置（表示手段）としてのディスプレイ９０が配置されている。このディスプレイ９０は、前述した制御装置６２の出力回路８０に接続されている。なお、このディスプレイ９０としては、液晶式のディスプレイ、若しくはＥＬ（エレクトロルミネッセンス）式のディスプレイ等を適用することができる。
【００３２】
一方、メモリカード７２内には、リードオンリーメモリ（ＲＯＭ）及びランダムアクセスメモリ（ＲＡＭ）の両方が搭載されており、前述したメモリカード７２の端子に接続されている。
【００３３】
このメモリカード７２のＲＯＭには、制御プログラムとしての乾燥処理プログラムが記憶されている。この乾燥処理プログラムは、地域別、穀物の品種別、穀物の種類別、作柄別又は乾燥目的別に、定められた熱風温度、風量、循環温度及び水分換算率などを制御するプログラムであり、穀物乾燥装置１０は、この乾燥処理プログラムに従って乾燥処理を実施するようになっている。
【００３４】
さらに、メモリカード７２のＲＯＭには、上述した乾燥処理プログラムの所定の制御仕様が記憶されている。この制御仕様としては、例えば、「乾燥処理プログラムのタイトル」や、穀物乾燥装置１０の製造者によって管理される「カード管理番号」、「乾燥処理プログラムの制御内容の要約（コメント）」、「目標含水率」、「設定熱風温度」、「乾燥処理プログラムの概略タイムチャート」などがある。
【００３５】
また、メモリカード７２内には、バックアップバッテリが内蔵されており、ＲＡＭに接続されている。このため、電源からの電流の供給が断たれた場合（例えば、メモリカード７２をコネクタ７４から抜き取った場合）でも、ＲＡＭ内の記憶をそのまま保存できるようになっている。
【００３６】
そして、このようなメモリカード７２は、ＲＯＭ内に異なる乾燥処理プログラム及び該乾燥処理プログラムの制御仕様が記憶されたものが種々（数百種類）用意されている。例えば、高温地域では熱風を低温大量風とするプログラム、日照時間の少ない地域で生育した穀物用として水分換算率を設定するプログラム、あるいは品種別に乾燥初期に熱風を低温大量風とし乾燥末期に高温少量風とするプログラム等種々の乾燥処理プログラムの中から、好みに応じて使用者が自由に選択できるようになっている。さらに、このようなメモリカード７２には、製造者が設定した標準的な制御プログラムを記憶した「標準カード」と、使用者（ユーザー）の好みに応じて改造した制御プログラムを記憶した「オリジナルカード」がある。
【００３７】
なお、本実施の形態では、種々用意されたメモリカード７２には、それぞれ乾燥処理プログラムの制御仕様として「乾燥処理プログラムのタイトル」、「カード管理番号」、「乾燥処理プログラムの制御内容の要約」、及び「乾燥処理プログラムの概略タイムチャート」が記憶されている。また、メモリカード７２の表面には、制御仕様としてメモリカード７２に記憶された「カード管理番号」が印字されたシールが貼付されている。
【００３８】
ここで、本穀物乾燥装置１０を稼動させる際には、先ず、種々用意されたメモリカード７２の中から、シールに印字された「カード管理番号」に基づいて、所望の（乾燥処理する穀物に適した条件の）乾燥処理プログラムが記憶されたメモリカード７２を選択する。そして、選択したメモリカード７２を事前に操作盤７０のコネクタ７４に挿入しておき、次いで操作盤７０の電源スイッチ８８を「ＯＮ」にする構成である。
【００３９】
このとき、本穀物乾燥装置１０では、メモリカード７２に記憶された乾燥処理プログラムの制御仕様が、制御装置６２を介してディスプレイ９０に表示されるようになっている。すなわち、メモリカード７２に、上述した如く「乾燥処理プログラムのタイトル」、「カード管理番号」、「乾燥処理プログラムの制御内容の要約」、及び「乾燥処理プログラムの概略タイムチャート」が乾燥処理プログラムの制御仕様として記憶されている場合には、これらの制御仕様が、ディスプレイ９０に表示されるようになっている。
【００４０】
そして、使用者が操作盤７０の前述した各種設定ダイヤル類を操作して、穀物処理装置１０を所望の運転状態に設定し、図示しない起動スイッチを「ＯＮ」にすると、メモリカード７２に記憶された乾燥処理プログラムに従って、穀物処理装置１０が所定の乾燥処理を実施するようになっている。
【００４１】
なお、本実施の形態では、乾燥処理プログラムの制御仕様がディスプレイ９０に表示される時間は、電源スイッチ８８が「ＯＮ」にされてから、制御装置６２に設定された時間（数秒間或いは数分間）が経過するまでの間とされている。
【００４２】
次に、本実施の形態の作用について説明する。
【００４３】
最初に穀物乾燥装置１０の全体的な作動について説明する。先ず、張込ホッパ３４が開放されて、穀物が機体１２内に張り込まれる。張り込まれた穀物は張込流し板３２に沿って流下した後、スクリューコンベア２８によって揚穀機３６の下端部へと搬送される。揚穀機３６は揚穀機駆動モータが作動することにより、バケットコンベアが作動し、搬送されてきた穀物を下端部側から上端部側へと揚上搬送させる。揚上搬送された穀物は、揚穀機３６の上端部に接続された別のスクリューコンベア４０に移される。移された穀物はスクリューコンベア４０によって回転式均分機４４へ搬送され、当該回転式均分機４４によって穀槽４２内へ均等に放散分配される（図４及び図５の矢印Ｂ参照）。
【００４４】
一方、乾燥風発生室５０ではガンタイプ式のバーナ４６が作動することにより、熱風（乾燥風）が発生している。また、乾燥風吸引室５２では吸引排風機４８が作動し、導風路１６内の空気を吸引している。これにより、乾燥風は導風路１６内へ取り込まれ、補助導風路１８を通ってから流下路２２を横切り、排風路２３を経て乾燥風吸引室５２から吸引排気される。なお、図４及び図５に示される白抜きの矢印Ｃが乾燥風の流れを表している。
【００４５】
かかる状況下において、張り込まれた穀物が流下路２２を通る際に乾燥風が当てられ、余分な水分が除去される。流下路２２を流下した穀物はドラムシャッタ２４の開口２６からドラムシャッタ２４内へ入り込み、所定量に達すると、ドラムシャッタ２４が軸線周りに回転し、スクリューコンベア２８内に落下される。そして、上記一連の乾燥工程が繰り返されることにより、穀物は、所定の水分値まで乾燥される。
【００４６】
ここで、本穀物乾燥装置１０では、上述した如き乾燥処理を実施するために穀物乾燥装置１０を稼動させる際には、先ず、種々用意されたメモリカード７２の中から、所望の（張込ホッパ３４に張り込まれた穀物に適した条件の）乾燥処理プログラムが記憶されたメモリカード７２を選択して、操作盤７０のコネクタ７４に装着する。そして、操作盤７０の電源スイッチ８８を「ＯＮ」にすると、コネクタ７４に装着されたメモリカード７２の乾燥処理プログラムの制御仕様が、図１（Ａ）乃至図１（Ｃ）に示す如く、ディスプレイ９０に表示される。
【００４７】
なお、図１（Ａ）に示すディスプレイ９０の表示例では、メモリカード７２に記憶された乾燥処理プログラムのタイトルが「１８％・５時間休止乾燥カード」であり、カード管理番号が「ＮＯ．４９０」であり、乾燥処理プログラムの制御内容の要約が「水分表示が１８％以下になると乾燥運転を５時間休み、その後運転します。」の場合である。
【００４８】
また、図１（Ｂ）に示すディスプレイ９０の表示例では、メモリカード７２に記憶された乾燥処理プログラムのタイトルが「熱風温度３５℃カード」であり、カード管理番号が「ＮＯ．８６２」であり、乾燥処理プログラムの制御内容の要約が「熱風温度を３５℃一定に保ち、ゆっくり乾燥します。」の場合である。
【００４９】
さらに、図１（Ｃ）に示すディスプレイ９０の表示例では、メモリカード７２に記憶された乾燥処理プログラムのタイトルが「種子乾燥カード」であり、カード管理番号が「ＮＯ．６９１」であり、乾燥処理プログラムの制御内容の要約が「胚芽を傷めないように低温でゆっくり乾燥します。」の場合である。
【００５０】
またさらに、これら図１（Ａ）乃至図１（Ｃ）に示すディスプレイ９０の表示例では、ディスプレイ９０の中央部分にそれぞれ乾燥処理プログラムの概略タイムチャートが表示されており、ディスプレイ９０の下側部分には、水分センサ３７が検出した穀物の含水率が現在水分値として表示され、温度センサ５８が検出した熱風温度が、現在熱風温度として表示されている。
【００５１】
したがって、本穀物乾燥装置１０では、メモリカード７２を操作盤７０のコネクタ７４に装着し、操作盤７０の電源スイッチ８８を「ＯＮ」にしさえすれば、コネクタ７４に装着されたメモリカード７２の乾燥処理プログラムの制御仕様を一目瞭然に確認することができる。また、作業開始時に前回使用したメモリカード７２が操作盤７０のコネクタ７４に装着されたままの場合でも、操作盤７０の電源スイッチ８８を「ＯＮ」にしさえすれば、コネクタ７４に装着されたメモリカード７２の乾燥処理プログラムの制御内容を正確に確認することができる。
【００５２】
これにより、メモリカード７２の制御内容を確認するための煩雑な作業がなくなり、作業性が向上する。また、使用者は、ディスプレイ９０に表示された制御仕様に応じて、各種設定ダイヤル類を操作し、操作盤７０への入力作業を行うことができるため、使用者が操作盤７０への入力操作を間違うことが防止される。
【００５３】
そして、操作盤７０への入力操作が成された後、図示しない起動スイッチが「ＯＮ」にされると、メモリカード７２に記憶された乾燥処理プログラムに従って、穀物処理装置１０が所定の乾燥処理を実施する。
【００５４】
このように、穀物乾燥装置１０では、メモリカード７２に記憶された制御プログラムの制御内容を容易かつ迅速に確認することができ、これにより、穀物乾燥装置１０が誤操作されることを防止できる。
【００５５】
しかも、乾燥処理プログラムの制御仕様として、「乾燥処理プログラムのタイトル」、「カード管理番号」、「乾燥処理プログラムの制御内容の要約」、及び「乾燥処理プログラムの概略タイムチャート」など、多種の情報がディスプレイ９０に表示されるため、使用者が乾燥処理プログラムの制御内容を詳細に確認することができる。
【００５６】
なお、上記実施の形態においては、乾燥処理プログラムの制御仕様がディスプレイ９０に表示される時間は、電源スイッチ８８が「ＯＮ」にされてから、制御装置６４に設定された時間（数秒間或いは数分間）が経過するまでの間としたが、これに限らず、乾燥処理プログラムの制御仕様を、穀物乾燥装置１０が乾燥処理を実施している間中、常時ディスプレイ９０に表示する構成としてもよい。
【００５７】
また、乾燥処理プログラムの制御仕様を、操作盤７０に配設した図示しない表示スイッチの操作、もしくは前述した各スイッチ類の組み合わせ操作により、必要に応じてディスプレイ９０に表示させる構成とすることもできる。
【００５８】
さらに、上記実施の形態においては、メモリカード７２に記憶されている乾燥処理プログラムの制御仕様を「乾燥処理プログラムのタイトル」、「カード管理番号」、「乾燥処理プログラムの制御内容の要約」、「乾燥処理プログラムの概略タイムチャート」とし、これらの制御仕様をディスプレイ９０に同時に表示する構成としたが、これに限らず、これらの制御仕様を所定時間おきに交互に表示する構成としてもよい。また、乾燥処理プログラムの制御仕様と、水分センサ３７が検出した「現在水分値」及び温度センサ５８が検出した「現在熱風温度」などの情報とを、所定時間おきに交互にディスプレイ９０に表示する構成としてもよい。またさらに、操作盤７０に配設した図示しない表示スイッチの操作、もしくは前述した各スイッチ類の組み合わせ操作により、乾燥処理プログラムの制御仕様や、「現在水分値」及び「現在熱風温度」などの情報を、ディスプレイ９０に交互に表示させる構成としてもよい。この場合には、ディスプレイを安価で小型なものとすることができる。
【００５９】
また、上記実施の形態では、「乾燥処理プログラムの概略タイムチャート」のような図柄をディスプレイ９０に表示する構成としたが、これに限らず、ディスプレイには文字のみを表示する構成とすれば、ディスプレイを更に安価なものとすることができる。
【００６０】
さらに、上記実施の形態では、表示手段としてのディスプレイ９０に、乾燥処理プログラムの制御仕様を文字や図柄で表示する構成としたが、これに限らず、表示手段としてスピーカ等を適用することも可能である。この場合には、メモリカード７２に乾燥処理プログラムの制御仕様を音声データとして記憶させる構成となる。
【００６１】
【発明の効果】
以上説明したように、本発明の穀物処理装置によれば、メモリカードに記憶された制御プログラムの制御内容を容易かつ迅速に確認することができ、これにより、穀物処理装置が誤操作されることを防止できる。
【図面の簡単な説明】
【図１】本実施の形態に係る穀物乾燥装置の構成部材である表示装置の表示例を示す正面図である。
【図２】本実施の形態に係る穀物乾燥装置の構成部材である制御装置の構成図である。
【図３】本実施の形態に係る穀物乾燥装置の構成部材である操作盤の概略的な構成を示す斜視図である。
【図４】本実施の形態に係る穀物乾燥装置の全体構成を側面側から見た状態で示す縦断面図である。
【図５】本実施の形態に係る穀物乾燥装置の全体構成を正面側から見た状態で示す縦断面図である。
【図６】本実施の形態に係る穀物乾燥装置の全体構成を示す斜視図である。
【符号の説明】
１０      穀物乾燥装置（穀物処理装置）
１２        機体（装置本体）
７０        操作盤（装置本体）
７２        メモリカード
９０        ディスプレイ（表示装置、表示手段）
【図１】
2005003253.tif 000003
【図２】
2005003253.tif 000004
【図３】
2005003253.tif 000005
【図４】
2005003253.tif 000006
【図５】
2005003253.tif 000007
【図６】
2005003253.tif 000008